(57)【要約】【課題】地盤の補強機能とともに排水機能が確保できる地盤改良用コラムを提供する。【解決手段】地盤１に埋設される地盤改良用コラム１０であって、地表から地中へ延びる連続材で形成されたコラム本体１１と、前記コラム本体１１の内部を地表側端から地中部分まで延びる本管２１と、前記本管２１の内部に連通されかつ前記コラム本体１１の側面に開口２４により外部に連通する枝管２２と、を有する。【選択図】図１
2015203251.tif 000002
【特許請求の範囲】
【請求項１】
地盤に埋設される地盤改良用コラムであって、
地表から地中へ延びる連続材で形成されたコラム本体と、
前記コラム本体の内部を地表側端から地中部分まで延びる管体と、
前記管体の内部と前記コラム本体の側面の外部とを連通させる連通部と、を有することを特徴とする地盤改良用コラム。
【請求項２】
請求項１に記載の地盤改良用コラムにおいて、
前記管体および前記連通部は、連続したＬ字管により構成されていることを特徴とする地盤改良用コラム。
【請求項３】
請求項１または請求項２に記載の地盤改良用コラムにおいて、
前記連通部は複数設置され、複数の前記連通部は各々の開口が前記コラム本体の側面の異なる高さに配置されていることを特徴とする地盤改良用コラム。
【請求項４】
請求項１から請求項３のいずれか一項に記載の地盤改良用コラムにおいて、
前記管体および前記連通部は鋼管であることを特徴とする地盤改良用コラム。
【請求項５】
請求項１から請求項４のいずれか一項に記載の地盤改良用コラムにおいて、
前記コラム本体はソイルセメントコラムであることを特徴とする地盤改良用コラム。
【発明の詳細な説明】
【技術分野】
【０００１】
本発明は、地盤改良用コラムに関する。
【背景技術】
【０００２】
地盤改良技術として、地盤中にソイルセメント製の補強用柱状構造を形成するソイルセメントコラム工法が知られている（特許文献１および特許文献２参照）。
ソイルセメントコラム工法においては、地中に中空のロッドを鉛直に挿入し、その内部にセメントミルクを圧送する。さらに、ロッド内部を攪拌し、土砂などの地盤掘削物とセメントミルクとを混練する。そして、ロッドを引き出して混練物を残置し、これらを固化させることで、地盤内にソイルセメントコラムを形成する。
【０００３】
このようなソイルセメントコラムを用いた補強用柱状構造は、主に支持力を向上するための地盤改良として用いられる（特許文献１参照）。また、水平耐力を向上するための地盤改良としても用いられる（特許文献２参照）。
これらの補強用柱状構造では、ソイルセメントコラムにおいて、さらにコラム芯材として鋼管を配置することが提案されている。
【０００４】
前述した強度対策とは別に、地盤改良としては、地下水の排水対策がある。近年では、造成地盤における液状化現象の対策として注目されている。このような排水対策としては、地盤中にグラベル（砂礫や砕石）のコラムを形成して排水構造とするグラベルドレーン工法が知られている（特許文献３参照）。
グラベルドレーン工法においては、地中に中空のロッドを鉛直に挿入し、その内部にグラベルを充填する。そして、ロッドを引き抜きつつロッドの下端からグラベルを地盤内に放出し、突き固めることにより、地盤内にグラベルコラムを形成する。
このようなグラベルコラムを用いた排水構造においては、地盤中の過剰な水分がグラベルコラム内に浸出し、グラベルの隙間を通してコラム上方へ排出することができる。
【先行技術文献】
【特許文献】
【０００５】
【特許文献１】特開２００７−１９１９９０号公報
【特許文献２】特開２００８−２５１４８号公報
【特許文献３】特開２００８−１６９６４８号公報
【発明の概要】
【発明が解決しようとする課題】
【０００６】
前述したソイルセメントコラム工法による補強用柱状構造は、支持力あるいは水平耐力などの構造強度の確保を目的としており、地中の排水を行う機能はなく、液状化対策にも有効ではない。
一方、前述したグラベルドレーン工法による排水構造では、グラベルをコラム状に固めたものであって、排水の機能はあるが、構造強度には寄与しない。
このようなことから、地盤改良として、強度対策と排水対策（液状化対策を含む）とが共に必要な場合、ソイルセメントコラムとグラベルドレーンとの両方を設置する必要がある。
【０００７】
しかし、補強用のソイルセメントコラムと排水用のグラベルドレーンとの両方を設置すると、各々の施工作業および施工コストが増大するという問題がある。
さらに、補強用のソイルセメントコラムと排水用のグラベルドレーンとの両方を、同じ区画に設置しようとしても、各々が密集しあるいは干渉し、実用的な地盤改良が行えない可能性がある。
近年の液状化対策においては、地盤補強に加えて排水機能に対する要求が高まっており、双方の機能をともに実現できる構造が強く望まれていた。
【０００８】
本発明の目的は、地盤の補強機能とともに排水機能が確保できる地盤改良用コラムを提供することにある。
【課題を解決するための手段】
【０００９】
本発明は、地盤に埋設される地盤改良用コラムであって、地表から地中へ延びる連続材で形成されたコラム本体と、前記コラム本体の内部を地表側端から地中部分まで延びる管体と、前記管体の内部と前記コラム本体の側面の外部とを連通させる連通部と、を有することを特徴とする。
【００１０】
このような本発明においては、連続材（例えばソイルセメント）で形成されたコラム本体により、地盤の補強機能が得られる。そして、コラム本体の内部を延びる管体（例えば鋼管）により、コラム本体の強度を増大させることができる。
一方、管体は、その内部が連通部を通してコラム本体の側面の外部と連通されているとともに、コラム本体の地表側端まで通じている。従って、地中の水分がコラム本体の側面に浸出した際には、この水分は連通部から管体を通して、コラム本体の地表側端に導くことができる。これにより地盤の排水機能が得られる。
【００１１】
従って、本発明によれば、単一の地盤改良用コラムにおいて、地盤の補強機能と排水機能との両方を確保することができる。これにより、従来は地盤補強用および排水用に各々必要であった施工作業および施工コストを抑制できるとともに、地盤改良する区画において地盤補強用および排水用の各コラムの密集や干渉を回避することができる。
【００１２】
本発明において、前記管体および前記連通部は、連続したＬ字管により構成されていることが望ましい。
このようなＬ字管は、例えば鋼管を曲げて形成することができる。そして、Ｌ字管の長い側（本管）に対し、Ｌ字管の短い側（枝管）をコラム本体の側面から外側に向けて配置することで、連通部とすることができる。
このような本実施形態では、管体および連通部を予め一連としておくことができ、施工を容易にすることができる、
なお、管体および連通部としては、それぞれ別の配管を用い、互いに接続するとしてもよい。また、連通部としては、管状の部材に限らず、管体およびコラム本体に形成された孔や貫通部分など、管体の内部とコラム本体の側面の外部とを連通させることができる構造であればよい。
【００１３】
本発明において、前記連通部は複数設置され、複数の前記連通部は各々の開口が前記コラム本体の側面の異なる高さに配置されていることが望ましい。
このような本発明においては、地中の透水層などが所定の厚みを有し、浸出する水分の高さ（地中深さ）が異なる場合でも、最寄りの開口から連通部へと水分を取り込むことができる。
【００１４】
本発明において、前記管体および前記連通部は鋼管であることが望ましい。
このような本発明では、管体および連通部の強度が確保でき、補強用としてのコラム本体の強度を高めることができる。また、一般的な材料であるため、確保が容易であり、かつコストにおいても望ましい。
【００１５】
本発明において、前記コラム本体はソイルセメントコラムであることが望ましい。
このような本発明では、コラム本体としての強度が確保できるとともに、地盤の掘削で生じる土砂を有効利用することができる。従って、材料コストの点で好ましいとともに、残土処理の問題を解消することができる。
【発明の効果】
【００１６】
本発明の地盤改良用コラムによれば、地盤の補強機能および排水機能をともに確保することができる。
【図面の簡単な説明】
【００１７】
【図１】本発明の一実施形態を示す断面図。
【図２】前記実施形態の施工手順を示す断面図であり、（Ａ）部は地盤の掘削工程、（Ｂ）部はセメントミルクの注入工程を示す。
【図３】前記実施形態の施工手順の続きを示す断面図であり、（Ａ）部は管組立体の埋設工程、（Ｂ）部はソイルセメントの養生工程を示す。
【図４】前記実施形態の管組立体を示す斜視図。
【図５】管組立体の変形例を示す斜視図。
【図６】管組立体の他の実施形態を示す斜視図。
【発明を実施するための形態】
【００１８】
以下、本発明の一実施形態を図面に基づいて説明する。
図１において、地盤１には、その地盤改良を行うために、本発明に基づく地盤改良用コラム１０が埋設されている。
地盤１は、通常の土砂からなる地層２，４の間に、透水性の砂礫層３を有する。この砂礫層３の範囲（上面深さおよび下面深さ）は、ボーリング等の地盤調査作業を行うことで、予め取得されている。
【００１９】
地盤改良用コラム１０は、ソイルセメントで形成された円柱状のコラム本体１１を有する。
コラム本体１１は、既存のソイルセメントコラム工法で一体に形成されたものであり、地盤１の地表から地中へと連続的に延びている。
コラム本体１１の内部には、管組立体２０が埋設されている。
図４に示すように、管組立体２０は、複数の鋼管を束ねて形成されたものであり、長さが異なる２種類のＬ字管２０Ａ，２０Ｂと更に長尺の直管２０Ｃとを有する。
【００２０】
Ｌ字管２０Ａ，２０Ｂは、それぞれ長尺の本管２１と、この本管２１に９０度折れ曲がって連続する短尺の枝管２２とを有し、各々は互いに連通されている。
本管２１の枝管２２とは反対側の先端は開口２３とされ、枝管２２の本管２１とは反対側の先端は開口２４とされている。
従って、Ｌ字管２０Ａ，２０Ｂにおいては、それぞれ本管２１および枝管２２を通して、開口２３から開口２４までが連通されている。
直管２０Ｃは、全体が本管２１だけで構成され、一端の開口２３から他端の開口２５までが連通されている。
【００２１】
このような管組立体２０は、それぞれ開口２３，２４，２５がコラム本体１１の表面に露出する状態で、コラム本体１１に埋設されている。
すなわち、Ｌ字管２０Ａ，２０Ｂおよび直管２０Ｃの本管２１の開口２３はコラム本体１１の上面（地表側端）に露出している。
【００２２】
Ｌ字管２０Ａ，２０Ｂの枝管２２の開口２４は、コラム本体１１の側面に露出され、これによりＬ字管２０Ａ，２０Ｂの内部空間とコラム本体１１の側面の外部空間とが連通されている。
これらの開口２４は、コラム本体１１の側面の異なる高さに配置されている。とくに、開口２４は、予め地盤調査作業で取得されている砂礫層３に対応する深さに配置されている。
直管２０Ｃの開口２５はコラム本体１１の底面に露出している。
【００２３】
本実施形態においては、管組立体２０のうち、本管２１が本発明の管体となり、枝管２２が本発明の連通部となる。
このような本実施形態の地盤改良用コラム１０は、地盤１に対して以下の手順で施工される。
【００２４】
図２（Ａ）のように、先ず、地盤１の地表に掘削用鋼管３１と掘削用ドリル３２とを同軸で配置し、鉛直方向下向きに掘削する。
図２（Ｂ）のように、掘削が所期の深さに達したら、掘削用ドリル３２を停止し、上方へ引き出して掘削用鋼管３１から抜き出す。この際、掘削で生じた土砂５は、掘削用鋼管３１の内部に残しておく。
続いて、セメント供給装置３３から掘削用鋼管３１の内部へと、セメントミルク６を注入し、土砂５と混合するとともに、攪拌および混練する。
【００２５】
図３（Ａ）のように、掘削用鋼管３１の内部にソイルセメント７が生成されたら、掘削用鋼管３１の上方から管組立体２０を導入し、内部のソイルセメント７に浸漬させてゆく。
図３（Ｂ）のように、管組立体２０が所期の深さに達したら、その状態を維持し、ソイルセメント８の固化を待つ。このとき、管組立体２０は、枝管２２の開口２４がソイルセメント８の側面に露出し、直管２０Ｃの開口２５がソイルセメント８の底面に露出する状態に維持しておく。
【００２６】
図３（Ｂ）において、ある程度まで固化したソイルセメント８が得られたら、掘削用鋼管３１を加振等によりソイルセメント８から分離し、上方へ引き出す。また、管組立体２０の開口２３から圧搾空気を送り、ソイルセメント８の側面あるいは底面に露出する開口２４，２５の詰まりを除去する。なお、掘削用鋼管３１を抜き出した跡のソイルセメント８周囲の隙間は、周辺の土砂により塞がれる。
この後、ソイルセメント８が完全に固化することで、内部に管組立体２０が埋設されたコラム本体１１（図１参照）が形成される。
【００２７】
このような本実施形態によれば、以下のような効果が得られる。
本実施形態の地盤改良用コラム１０においては、ソイルセメント８の連続材で形成されたコラム本体１１により、地盤１の補強機能が得られる。そして、コラム本体１１の内部を延びる管組立体２０により、コラム本体１１の強度を増大させることができる。
【００２８】
管組立体２０は、２種類の長さのＬ字管２０Ａ，２０Ｂおよび直管２０Ｃを束ねたものであり、特にコラム本体１１の長手方向については、本管２１が束ねられた状態とされ、曲げあるいは水平方向のせん断に対して十分な強度を得ることができる。
【００２９】
さらに、管組立体２０においては、Ｌ字管２０Ａ，２０Ｂにより、コラム本体１１の側面の開口２４からコラム本体１１の地表側端の開口２３までが連通されている。とくに、コラム本体１１の側面の開口２４は、砂礫層３の深さに合わせて配置されている。
従って、砂礫層３において過剰な水分がコラム本体１１の側面に浸出した際には、この水分は開口２４から取り込まれ、Ｌ字管２０Ａ，２０Ｂの連通部である枝管２２から、管体である本管２１を通して、コラム本体１１の地表側端の開口２３へと導かれる。
【００３０】
従って、本実施形態の地盤改良用コラム１０では、地盤１の補強に加えて、地盤１の排水機能が得られる。
これにより、従来は地盤補強用および排水用に各々必要であった施工作業および施工コストを抑制できるとともに、地盤改良する区画において地盤補強用および排水用の各コラムの密集や干渉を回避することができる。
【００３１】
なお、本実施形態では、直管２０Ｃにより、コラム本体１１の底面に滞留する水分についても、開口２５から取り込んで、地表側端の開口２３へと導くことができる。
また、本実施形態では、Ｌ字管２０Ａ，２０Ｂを用いたため、予め連通部である枝管２２と管体である本管２１とを連続した状態で製造することができる。このため、別体の管体と連通部とを連結する場合などに比べて、製造が容易であるとともに、管体と連通部との連通に別途の配慮等をする必要がない。
【００３２】
さらに、長さが異なるＬ字管２０Ａ，２０Ｂを用い、開口２４をコラム本体１１の側面の異なる高さに配置したため、砂礫層３の厚みが大きい場合でも、最寄りの開口２４から水分を確実に取り込むことができる。
また、Ｌ字管２０Ａ，２０Ｂおよび直管２０Ｃは、それぞれ鋼管で形成されているため、基本的な強度を高められる。また、材料コストを抑えられるとともに、資材の確保も容易である。
【００３３】
さらに、コラム本体１１はソイルセメントコラムとしたため、地盤１に掘削したうえでセメントを注入、混練することで容易に形成できる。また、コラム本体１１としての強度が確保できるとともに、地盤１の掘削で生じる土砂を有効利用することができる。従って、材料コストの点で好ましいとともに、残土処理の問題を解消することができる。
【００３４】
なお、本発明は、前述した実施形態の構成に限定されるものではなく、本発明の目的を達成できる範囲での変形などは、本発明に含まれるものである。
前述した実施形態では、長さが異なるＬ字管２０Ａ，２０Ｂを用い、開口２４をコラム本体１１の側面の異なる２つの高さに配置した。これに対し、管組立体２０に、更に異なる長さのＬ字管を追加し、開口２４を３つ以上の異なる高さに配置してもよい。
【００３５】
一方、管組立体２０において、開口２４を異なる複数の高さに設置することは、本発明に必須ではなく、１箇所の高さだけであってもよい。
図５において、管組立体２０はＬ字管２０Ｂと直管２０Ｃとを束ねて構成され、開口２４はそれぞれ同じ高さに配置されている。このような管組立体２０は、図４で説明したものに対してＬ字管２０Ａがないだけで、他の構成および効果は同じである。
【００３６】
また、管組立体２０において、直管２０Ｃとで構成を用い、コラム本体１１の底面に開口２５を形成することは、本発明に必須ではなく、図４あるいは図５に示す構成から直管２０Ｃを除いた管組立体２０を用いてもよい。
【００３７】
前述した実施形態では、Ｌ字管２０Ａ，２０Ｂの本管２１を束ねて管組立体２０を形成したが、本発明の管体は複数を束ねた構成に限らず、コラム本体１１の各部に分散配置してもよい。
また、Ｌ字管２０Ａ，２０Ｂを用い、管体である本管２１から連続した枝管２２を連通部とすることも本発明に必須ではない。
【００３８】
図６には本発明の他の実施形態が示されている。
図６において、管組立体４０は、コラム本体１１の内側に埋設されるものである。
管組立体４０は、コラム本体１１の周面に沿って、管体として鋼管で形成された３本の本管４１を有する。本管４１は、コラム本体１１の周方向の枠体４２で互いに連結されている。
本管４１は、それぞれ下端近傍にコラム本体１１の外側向きの開口４４が形成され、開口４４は本管４１の内部を通して上端（地表面側）の開口４３に連通されている。
本実施形態では、この開口４４を通して本館４１の内部とコラム本体１１の側面の外部とが連通されており、この開口４４が本発明の連通部とされている。本管４１は、それぞれ長さが異なり、各々の開口４４はそれぞれ異なる高さに配置されている。
【００３９】
このような管組立体４０においても、本管４１によりコラム本体１１の補強が可能であるとともに、コラム本体１１の側面の開口４４と地表面側の開口４３とが連通され、コラム本体１１の側面の水分を排水可能である。
【００４０】
前述した実施形態では、管体として鋼管（本管２１，４１）を用いるとしたが、所期の強度つまり補強機能が得られるものであれば他の金属あるいは他の材料、例えば繊維強化プラスチック等を用いてもよい。
また、連通部としては、Ｌ字管２０Ａ、２０Ｂの枝管２２や、本管４１に直接形成された開口４４に限らず、コラム本体１１の側面から奥へと孔を形成し、この孔に連通するように管体を配置してもよい。
前述した実施形態では、Ｌ字管２０Ａ、２０Ｂの枝管２２は、本管２１に対して直角に形成したが、他の角度であってもよい。
【産業上の利用可能性】
【００４１】
本発明は、地盤改良用コラムとして利用できる。
【符号の説明】
【００４２】
１…地盤
２，４…地層
３…砂礫層
５…土砂
６…セメントミルク
７，８…ソイルセメント
１０…地盤改良用コラム
１１…コラム本体
２０…管組立体
２０Ａ，２０Ｂ…Ｌ字管
２０Ｃ…直管
２１…管体としての本管
２２…連通部としての枝管
２３，２４，２５…開口
３１…掘削用鋼管
３２…掘削用ドリル
３３…セメント供給装置
４０…管組立体
４１…管体としての本管
４２…枠体
４３…開口
４４…連通部としての開口
【図１】
2015203251.tif 000003
【図２】
2015203251.tif 000004
【図３】
2015203251.tif 000005
【図４】
2015203251.tif 000006
【図５】
2015203251.tif 000007
【図６】
2015203251.tif 000008